(57)【特許請求の範囲】
【請求項１】
住戸の共用廊下の外側へ取付けられ、底部が開放したボックスと、
前記共用廊下の腰壁を切り欠いて形成され、前記共用廊下側から前記ボックス内に配置された配管及び機器を修繕可能とする作業口と、
前記ボックス又は前記共用廊下に設けられ、前記底部を部分的に閉じる置床を着脱可能に支持する支持機構と、
を有し、前記支持機構に支持される前記置床は、横スライド式のパネルである、ボックス構造。
【請求項２】
前記作業口への進入を防止する取り外し可能なフェンスと、前記作業口を開閉する扉と、を有する請求項１に記載のボックス構造。
【請求項３】
前記パネルは、前記扉の裏面に収納可能とされている請求項２に記載のボックス構造。
【発明の詳細な説明】
【技術分野】
【０００１】
本発明は、ボックス構造に関する。
【背景技術】
【０００２】
下記特許文献１には、共用ガス立管、共用給水立管及び雨水排水立管を壁面に沿って横一列に並んだ状態に配置し、これらの配管の間に、ガス湯沸器、電気メーター、ガスメーター、水道メーターを上から順に並べたメーターボックスが開示されている。これにより、メーターボックスの奥行き寸法を小さくして、共用廊下の有効寸法を確保している。
【先行技術文献】
【特許文献】
【０００３】
【特許文献１】特開２０１５−１５８０７５号公報
【発明の概要】
【発明が解決しようとする課題】
【０００４】
しかし、上記特許文献１のメーターボックスによると、各配管はコンクリートスラブに形成した貫通孔にそれぞれ通されており、配管を交換する更新作業時には、古い配管を貫通孔から抜き出してから新しい配管を差し替える必要があり、作業が煩雑である。また、配管の配置や径を変えるためにはスラブをはつり取る必要があり、作業に伴う騒音の発生や、作業の長期化が懸念される。
また、メーターボックスは住戸に面しているので、配管から漏水すると、水が住戸内に浸入する可能性がある。水が住戸内に浸入すると住戸内の壁や床を剥がして修繕する必要がある。
【０００５】
本発明は、上記事実を考慮して、配管及び配管周りのメンテナンス性を高めることを目的とする。
【課題を解決するための手段】
【０００６】
請求項１に係るボックス構造は、住戸の共用廊下の外側へ取付けられ、底部が開放したボックスと、前記共用廊下の腰壁を切り欠いて形成され、前記共用廊下側から前記ボックス内に配置された配管及び機器を修繕可能とする作業口と、前記ボックス又は前記共用廊下に設けられ、前記底部を部分的に閉じる置床を着脱可能に支持する支持機構と、を有し、前記支持機構に支持される前記置床は、横スライド式のパネルである。
【０００７】
請求項１に係るボックス構造によると、ボックスの底部が開放しているので、スラブの貫通孔に配管を通す場合と比較して配管まわりのクリアランスが大きく、配管の交換作業が容易である。また、配管や機器の交換時、底部を部分的に閉じる置床を支持機構に設置して作業床とすることができるので、ボックス内部に立ち入って作業することができる。また、ボックスは住戸に面していないので、住戸に面している場合と比較して、配管から漏水しても、水は共用廊下の外側に落水するので、水が住戸に浸入する可能性が低い。
したがって、配管及び配管周りのメンテナンス性を高めることができる。また、漏水対策を削減することができる。
さらに、住戸に面してボックスを設置しなくてもよいので、共用廊下に面した住戸の窓を大きくすることもでき、住戸のプランニングの自由度が向上する。
【０００８】
請求項１に係るボックス構造は、前記支持機構に支持される前記置床は、横スライド式のパネルである。
【０００９】
請求項１のボックス構造によると、例えばボックスの作業口側から奥側へパネルを横方向にスライドさせることで、ボックスの底部が閉じられる。このため、例えばボックスに取付けたヒンジを中心にパネルを回動させてボックスの底部を閉じる構成と比較して、ボックス内に配置された配管及び機器と、ボックスの底部を閉じる際のパネルの軌跡とが干渉しにくい。このため、パネルの着脱作業が容易である。
【００１０】
請求項２に係るボックス構造は、請求項１に記載のボックス構造において、前記作業口への進入を防止する取り外し可能なフェンスと、前記作業口を開閉する扉と、を有する。
【００１１】
請求項２のボックス構造によると、フェンスがあるので、扉を開けてもボックス内に立ち入ることができない。このため、置床を常時設置しておく必要がなく、ボックスの底部は開放しておくことができる。このため、配管から漏水が発生しても、水が置床を伝って共用廊下に流れ出すことがない。また、機器等から熱が発生しても、ボックス内の熱こもりが抑制される。
【００１２】
請求項３に係るボックス構造は、請求項２に記載のボックス構造において、前記パネルは、前記扉の裏面に収納可能とされている。
【００１３】
請求項３のボックス構造によると、パネルを置床として使用しないときは、扉の裏面に収納しておくことができる。このため、パネルを別の場所に保管しておく必要がなく、紛失しにくい。また、パネルを持ち運ぶ必要がない。
【発明の効果】
【００１４】
以上説明したように、本発明のボックス構造によると、配管及び配管周りのメンテナンス性を高めることができる。
【図面の簡単な説明】
【００１５】
【図１】（Ａ）は本発明の実施形態に係るボックス構造におけるメーターボックスの配置を示す平面図であり、（Ｂ）は従来例のメーターボックスの配置を示す平面図である。
【図２】本発明の実施形態に係るボックス構造の分解斜視図である。
【図３】本発明の実施形態に係るボックス構造が組み立てられた状態を示す斜視図である。
【図４】本発明の実施形態に係るボックス構造におけるメーターボックスを共用廊下側から見た立面図である。
【図５】本発明の実施形態に係るボックス構造における、メーターボックスの内部構成を示す平面図である。
【図６】（Ａ）は本発明の実施形態に係るボックス構造における、メーターボックスの開放底の状態を示す部分平面図であり、（Ｂ）はパネルの設置状態を示す部分立面図である。
【発明を実施するための形態】
【００１６】
以下、図面を参照しながら、本発明の実施形態に係るボックス構造１０について説明する。
【００１７】
（建物）
まず、本発明の実施形態に係るボックス構造１０が適用される建物１００について説明する。図１（Ａ）に示すように、建物１００は、住戸１０２が隣り合う住戸１０２と戸境壁を共有して間口方向に並ぶ集合住宅であり、それぞれの住戸１０２は、玄関１０２Ａが共用廊下１０４に面して配置されている。共用廊下１０４は外廊下とされ、住戸１０２の並びに沿って設けられており、住戸１０２と反対側にはコンクリートで形成された腰壁（躯体手すり）１０６が形成されている。
【００１８】
（メーターボックス）
共用廊下１０４を挟んで住戸１０２の玄関１０２Ａと反対側には、メーターボックス１２が設置されている。メーターボックス１２は共用廊下１０４の外側に設置されており、メーターボックス１２が設置される位置の腰壁１０６が切欠かれて開口部１０８が形成されている。開口部１０８に形成される、後述する作業口１６Ｄからは、メーターボックス１２に配置された配管類３０（図２参照）及び機器類４０（図２参照）を修繕することが可能で、平常時は扉１４によって開口部１０８は閉鎖されている。
【００１９】
詳しくは後述するが、メーターボックス１２と玄関１０２Ａとの間の共用廊下１０４の天井は、その他の部分の天井よりも天井高が低い下がり天井１１０とされており、共用廊下１０４を形成するスラブ１０４Ａと下がり天井１１０の間の空間Ｓには、メーターボックス１２内の配管から住戸１０２へ向かって、横引き管（管束３０Ａ、３０Ｂ、図４参照）が配設されている。また、下がり天井１１０にはダウンライト１１２が設置されている。
【００２０】
次に、図２、図３を用いて、メーターボックス１２の構造の詳細について説明する。図２に示すように、メーターボックス１２は、共用廊下１０４の外側に取付けられ、開口部１０８に挿入されてスラブ１０４Ａに支持される２枚の側パネル１６と、側パネル１６の間に架け渡され、側パネル１６に支持される正面パネル１８と、側パネル１６の間に形成された作業口１６Ｄを開閉する扉１４と、を含んで構成されている。
【００２１】
側パネル１６の高さＨ３は、側パネル１６が設置される階の階高とほぼ等しく構成されており、これにより、共用廊下１０４の外側には、メーターボックス１２が複数階に亘って連続して配置されたシャフト状のパイプスペースが形成される。
【００２２】
また、側パネル１６、正面パネル１８、扉１４は、スチール製の切板を加工した面材であり、側パネル１６、正面パネル１８は、建物１００の外部からメーターボックス１２を視認したときに、内部の配管類３０及び機器類４０が視認できないように、パンチングやスリットなどの加工が施されていないものとされている。
【００２３】
側パネル１６の上下端部にはそれぞれ切欠き１６Ａ、１６Ｂが形成されており、切欠き１６Ａから切欠き１６Ｂまでの寸法Ｈ１が、下階のスラブ１０４Ａの上面から上階のスラブ１０４Ａの下面までの寸法Ｈ２と略同一とされている。これにより、図３に示すように、切欠き１６Ｂがスラブ１０４Ａに載せ掛けられて、側パネル１６の端部が開口部１０８の間に配置される。なお、側パネル１６はスラブ１０４Ａに載せ掛けられるほか、図２に示したアングル１６Ｃ等の固定部材を用いて、スラブ１０４Ａに固定される。
【００２４】
メーターボックス１２の底部は、図３に示すように面材で被覆されない開放底Ｖとされており、開放底Ｖを貫通して、配管類３０が配設されている。なお、図３には、配管類３０や機器類４０は省略されている。
【００２５】
（配管、機器）
図２に示すように、メーターボックス１２の内部には、配管類３０として水道管３２と、縦樋３４と、ガス管３６と、電気管３８と、が配設されている。
【００２６】
縦樋３４からは枝管３４Ａが分岐しており、スラブ１０４Ａの排水溝１０４Ｂに形成された排水孔１０４Ｃに接続されている。また、電気管３８は、電気幹線３８Ａと弱電線３８Ｂとで構成されている。水道管３２、縦樋３４、ガス管３６、電気管３８は、図示しないＵ字金物などにより、側パネル１６又は正面パネル１８に固定されている。
【００２７】
メーターボックス１２の内部には、さらに、機器類４０として、水道メーター４２と、給湯器４４と、ガスメーター４６と、電気メーター４８と、が配置されている。給湯器４４は、図示しない金物を用いて、側パネル１６又は正面パネル１８に固定されている。なお、図２においては、配管類３０と機器類４０との接続状態は省略されている。
【００２８】
本実施形態において電気メーター４８は１００Ｖ用と２００Ｖ用の２種類設けられているが、２００Ｖの電圧を使用しない場合は、電気メーター４８は１００Ｖ用の一種類でよい。また、熱源としてガスを利用しない集合住宅（所謂オール電化住宅）等においては、ガス管３６やガスメーター４６、給湯器４４は設ける必要はない。さらには、電気メーター４８及びガスメーター４６を何れも設けない構成とすることもできる。このように、配管類３０及び機器類４０の種類や数については、本発明のボックス構造１０が取付けられる住宅の設備計画によって適宜変更することができる。
【００２９】
図４には、メーターボックス１２を共用廊下１０４から視認した立面図が示されている。なお、図４では、メーターボックス１２の内部構成を示すため、扉１４は省略されている。
【００３０】
水道管３２からは枝管３２Ａが分岐しており、枝管３２Ａは水道メーター４２に接続されている。同様に、ガス管３６、電気管３８から分岐した枝管３６Ａ、３８Ｃも、それぞれガスメーター４６、電気メーター４８に接続されている。枝管３２Ａ、３６Ａは更に給湯器４４に接続される管と住戸１０２に引き込まれる管とに枝分かれし、給湯器４４からは温水管４４Ａが延出されている。その他、図示しない床暖房用の環水管や追い炊き用の環水管などがメーターボックス１２内に配置されるが、これら枝管等をまとめた管束３０Ａが、スラブ１０４Ａと下がり天井１１０の間の空間Ｓを通って住戸１０２内に引き込まれている。同様に、電気管用の管束３０Ｂも、空間Ｓを通って住戸１０２内に引き込まれる。図２に示すように住戸１０２と共用廊下１０４の間にある梁１２０には、貫通孔１２２、１２４が形成され、それぞれ管束３０Ａ、３０Ｂが貫通している。
【００３１】
なお、図４及び図５には管束３０Ａ、３０Ｂはそれぞれ１束ずつ示されているが、温水が通る管束と常温水が通る管束とを分ける等、適宜数を増やすことができる。
【００３２】
（区画）
図５には、メーターボックス１２内の配管類３０及び機器類４０の平面配置が示されている。メーターボックス１２の内部は、仕切板２０によって区画されている。一方の区画Ｍには電気幹線３８Ａ、弱電線３８Ｂ及び電気メーター４８が配置され、他方の区画Ｎには水道管３２、縦樋３４、ガス管３６、水道メーター４２、給湯器４４及びガスメーター４６が配置されている。メーターボックスの内部がこのように区画されることで、例えば水道管３２に不具合が生じて漏水が発生しても、区画分けされた電気幹線３８Ａ、弱電線３８Ｂが水に濡れることが抑制される。
【００３３】
（フェンス）
側パネル１６と仕切板２０との間には、フェンス５０が設置されている。フェンス５０はステンレス製のワイヤーメッシュ製で、腰壁１０６と略同一の高さ（スラブ１０４Ａの上面から約１１００ｍｍ〜１３００ｍｍ程度）とされている。
【００３４】
フェンス５０は、側パネル１６と仕切板２０に固定したチャンネル材５２の溝部に収まるように嵌め込まれている。チャンネル材５２は材軸方向が垂直方向に略一致するように固定されているので、フェンス５０の前後方向（図５の紙面において左右方向）への動きが規制されている。これにより、扉１４を開けてもフェンス５０があるので、メーターボックス１２の内部に立ち入ることができない。フェンス５０を取り外すときは、フェンス５０をチャンネル材５２の材軸方向に沿って持ち上げればよい。
【００３５】
（置床、支持機構）
図６（Ａ）には、図４の切断線Ａ−Ａの位置から見た区画Ｎにおける開放底Ｖの部分拡大図が示されている。なお、図６（Ａ）には腰壁１０６の断面が示されている。正面パネル１８には、アングル材６０が側パネル１６から仕切板２０に亘って固定されており、アングル材６０と、スラブ１０４Ａに、アングル材６２Ａ、６２Ｂ、６２Ｃ、６２Ｄが架け渡されている。また、アングル材６２Ａと６２Ｂの間、６２Ｃと６２Ｄの間には、それぞれフラットバー６４Ａ、６４Ｂが架け渡されている。なお、アングル材６２Ｃとフラットバー６４Ｂの間には水道管３２が通っており、アングル材６２Ｄとフラットバー６４Ｂの間には、縦樋３４とガス管３６が通っている。
【００３６】
アングル材６２Ａ、６２Ｂには、それぞれ２箇所に板片６６が溶接されており、アングル材６２Ａ、６２Ｂと板片６６との間の隙間にパネル７０を作業口１６Ａ側から奥側へ水平方向（横方向）にスライドさせることができる。これにより、アングル材６２Ａ、６２Ｂ及びフラットバー６４Ａの上にパネル７０が載置され、かつパネル７０の上方向への動きが規制される。パネル７０を取り外すときは、再びパネル７０を水平方向にスライドさせる。
【００３７】
なお、アングル材６０、アングル材６２Ａ、６２Ｂ、６２Ｃ、６２Ｄ、フラットバー６４Ａ、６４Ｂ、板片６６、アングル材６８Ａ、６８Ｂは本発明の支持機構の一例である。
【００３８】
また、アングル材６２Ｃ、６２Ｄにはアングル材６８Ａ、６８Ｂが架け渡されており、アングル材６８Ａ、６２Ｂの上部に、パネル７２が載置可能とされている。
【００３９】
パネル７０、７２はステンレス製の板材とされており、パネル７０の上面には、把手７４が取付けられている。これにより、パネル７０は容易にアングル材６２Ａ、６２Ｂと板片６６との間の隙間をスライドさせることができる。なお、パネル７０、７２の材質は、上部に人が乗った際に極端な撓みが生じたり折れ曲がったりするものでなければ、木合板やハニカム構造のアルミ板、グレーチング等としてもよい。
【００４０】
パネル７０、７２が載置された状態では、開放底Ｖの一部が閉じられて置床が形成される。これにより、作業員がメーターボックス１２の中に踏み込んで作業することができる。なお、パネル７０、７２を使用するときは、フェンス５０は取り外しておく。
【００４１】
なお、扉１４の裏面には、アングル材を組み合わせたパネル収納部７６Ａ、７６Ｂが構成されており、パネル７０、７２を不使用時に収納しておくことができる。また、扉１４の裏面とパネル７０はチェーン７８で連結されており、パネル７０を外部に持ち出すことができなくなっている。
【００４２】
（作用及び効果）
本実施形態に係るボックス構造によれば、メーターボックス１２の底は開放底Ｖとされているので、スラブの貫通孔に配管を通すメーターボックスと比較して、配管類３０（水道管３２、縦樋３４、ガス管３６）まわりのクリアランスが大きい。また、アングル材６２Ｃ、６２Ｄ、６８Ａ、６８Ｂ、フラットバー６４Ｂを取り外せば、クリアランスはさらに大きくすることができる。このため、配管類３０の交換作業が容易である。また、このような交換作業の際は、パネル７０を置床として設置し、作業員がメーターボックス１２の内部に立ち入って作業することができるため、作業の効率が良い。したがって、配管のメンテナンス性が高い。
【００４３】
また、メーターボックス１２は住戸１０２に面していないので、住戸１０２に面している場合と比較して、例えば水道管３２から漏水しても、水は共用廊下１０４の外側に落水するので、水が住戸１０２に浸入する可能性が低い。
【００４４】
さらに、パネル７０、７２は着脱することができるので、メーターボックス１２の開放底Ｖは常時開放しておくことができる。開放底Ｖが開放されていることにより、水道管３２から漏水しても、水はメーターボックス１２の内部を伝って落水し、共用廊下１０４の外側に落水するので、住戸１０２に対する水の浸入をさらに抑制することができる。
【００４５】
また、縦樋３４がメーターボックス１２の内部に格納されているので、縦樋が露出している集合住宅と比較して、破損の可能性が低い。さらに、建物の美観も向上する。
【００４６】
また、給湯器４４がメーターボックス１２の内部に格納されているので、給湯器４４から排出されるドレン排水が共用廊下１０４の外側に落水する。このため、共用廊下１０４の床面にドレン管を敷設する必要がない。このため、共用廊下１０４を車いすで通りやすくなる。また、歩行者にとってもつまづきにくい。また、メーターボックス１２の開放底Ｖが開放されていることにより、給湯器４４から熱が発生しても、メーターボックス１２内の熱こもりが抑制される。
【００４７】
また、メーターボックス１２の底は開放底Ｖとされているので、メーターボックス１２の床面積ぶんのスラブを削減することができる。このため、建物１００の躯体重量が軽減され、耐震強度が向上する。
【００４８】
また、メーターボックス１２は、玄関１０２Ａと反対側に設置されており、住戸１０２に面して設置されていない。このため、共用廊下１０４に面した住戸１０２の窓を大きくすることができる。図１（Ｂ）には、メーターボックス１２Ａを住戸に面して配置した従来例が示されているが、本実施形態に係る図１（Ａ）のメーターボックス１２を共用廊下１０４の屋外側に配置した例と比較して、窓が小さい。
【００４９】
このため、住戸１０２内に多くの光を取り込むことができるので、共用廊下１０４に面した部屋の面積を大きくすることができる。したがって、住戸１０２のプランニングの自由度が向上する。
【００５０】
また、メーターボックス１２は、玄関１０２Ａと反対側に設置されているので、例えば共用廊下１０４が中庭や駐車場を取り囲むような住棟配置の集合住宅において、廊下を挟んで向かい側の住棟から玄関１０２Ａが視認しにくい。このため、住戸１０２のプライバシー性が向上する。共用廊下１０４が道路に面しており、道路の反対側から建物１００を視認する場合も同様の効果がある。
【００５１】
［変形例］
次に、上記実施形態の変形例について説明する。第１実施形態においては、共用廊下１０４は外廊下とされていたが、本発明の実施形態はこれに限られない。例えばタワー型の集合住宅における内廊下等としてもよい。この場合においても、メーターボックスが住戸と面しないので、配管のメンテナンス性を高め、また漏水時に水が住戸内に浸入することを抑制できる。
【００５２】
このように、本発明における「共用廊下の外側」とは、共用廊下を挟んで住戸の反対側の意味であり、屋外側に限定されない。
【００５３】
また、第１実施形態においては、腰壁１０６はコンクリートで形成されているものとしたが、本発明の実施形態はこれに限られない。例えばガラス手すり、鉄やアルミなどの縦桟手すりをボルト等を用いてスラブ１０４Ａに着脱可能に取り付けてもよい。このように、腰壁１０６に替えて乾式施工の手すりを用いることで、メーターボックス１２の配置を変更したり、２つのメーターボックス１２を１つにまとめる際に、コンクリートをはつり取る必要がない。このため、大規模修繕時の設備計画の融通性を高くすることができる。
【００５４】
また、第１実施形態においては、側パネル１６、正面パネル１８、扉１４は、スチール製の切板を加工した面材であり、パンチングやスリットなどの加工が施されていないものとしたが、本発明の実施形態はこれに限られない。例えば、ＧＲＣ（硝子繊維補強コンクリート）板、ＡＬＣ（軽量成形セメント）板、アルミハニカム板などの板材等を用いてもよい。あるいは、側パネルとして上述のような板材を使用し、正面パネルに代えて、縦羽板（所謂ルーバー）や横羽板を使用してもよい。この場合、区画Ｍ、Ｎは半開放空間となる。
【００５５】
あるいは、側パネル１６は建物１００の躯体と兼用してもよい。例えば共用廊下１０４に通じる外階段の壁体の一部を、側パネル１６として利用してもよい。
【００５６】
また、第１実施形態において仕切板２０によってメーターボックス１２の内部を区画Ｍ、Ｎに区画しているが、仕切板２０は必ずしも必要はない。仕切板２０を用いなければ、メーターボックス１２の制作が容易になる。
【００５７】
このように、本発明はこうした上記の実施形態及び各種の変形例を適宜組み合わせて用いても良いし、本発明の要旨を逸脱しない範囲において、種々なる態様で実施し得ることは勿論である。
【符号の説明】
【００５８】
１２  メーターボックス（ボックス）
１４  扉
３０  配管類（配管）
４０  機器類（機器）
５０  フェンス
６０、６２Ａ、６２Ｂ、６２Ｃ、６２Ｄ  アングル材（支持機構）
６４Ａ、６４Ｂ  フラットバー（支持機構）
６６  板片（支持機構）
６８Ａ、６８Ｂ  アングル材
７０  パネル（置床）
７２  パネル（置床）
１０４  共用廊下
１０８  作業口
【図１】
0006761629.tif 000002
【図２】
0006761629.tif 000003
【図３】
0006761629.tif 000004
【図４】
0006761629.tif 000005
【図５】
0006761629.tif 000006
【図６】
0006761629.tif 000007